(57)【要約】【課題】表面材と芯材とを接着する接着剤の水分を外に抜くことができ、反ることの少ない、表紙部材を提供する。【解決手段】この表紙部材１０は、合成樹脂シートからなる表面材３０と、該表面材３０によってその表面が被覆される芯材２０とを備え、前記表面材３０は、接着剤により芯材２０に接着され、且つ、該接着剤の水分が抜けるように、接着剤により芯材２０に接着される部位に貫通孔３８が穿設されている。前記芯材２０の他方主面は、裏面材４０によって被覆され、前記裏面材４０は、接着剤により芯材２０に接着され、且つ、該接着剤の水分が抜けるように、接着剤により芯材２０に接着される部位に貫通孔４２が穿設されている。【選択図】      図１
2004306463.tif 000002
【特許請求の範囲】
【請求項１】
合成樹脂シートからなる表面材と、
該表面材によってその表面が被覆される芯材とを備え、
前記表面材は、接着剤により芯材に接着され、且つ、該接着剤の水分が抜けるように、接着剤により芯材に接着される部位に貫通孔が穿設された、表紙部材。
【請求項２】
前記芯材は、表紙部および背表紙部とほぼ同じ大きさを有する弾力性を有するシートからなり、
前記表面材は、芯材の一方主面に接着される表面接着領域と前記芯材の端縁よりも外方に延びる延長部とを備える大きさを有する折曲可能なシートからなり、
前記表面材は、貫通孔が穿設された表面接着領域において、前記芯材の一方主面に重ねられ、且つ前記芯材の端縁よりも外に出た表面材の延長部は、貫通孔が穿設され、前記芯材の端縁において折り曲げられて芯材の他方主面に重ねられた、請求項１に記載の表紙部材。
【請求項３】
前記芯材の他方主面は、裏面材によって被覆され、
前記裏面材は、接着剤により芯材に接着され、且つ、該接着剤の水分が抜けるように、接着剤により芯材に接着される部位に貫通孔が穿設された、請求項１または請求項２に記載の表紙部材。
【請求項４】
表面材および裏面材は、ポリプロピレン製シートまたはフィルムからなる、請求項１ないし請求項３のいずれかに記載の表紙部材。
【請求項５】
芯材は、紙またはポリプロピレン製シートまたはフィルムからなる、請求項１ないし請求項４のいずれかに記載の表紙部材。
【発明の詳細な説明】
【０００１】
【発明の属する技術分野】
この発明は、表紙部材に関し、特にたとえばパイプファイル等の表紙として用いるに好適な表紙部材に関する。
【０００２】
【従来の技術】
従来のファイルの表紙は、たとえば、特許文献１にみられるように、比較的厚い芯材を構成するボール紙の表面に該ボール紙よりも広い面積を有する表面材を構成するポリプロピレン製シートを接着し、そのボール紙の外周縁に沿って該シートを折り曲げ、ボール紙の表面側より裏面側にむけて外に出た部分を折り曲げ接着し、さらにボール紙の裏面側に見返し紙を貼着した、いわゆるくるみ貼り表紙と称するものがある。
【０００３】
【特許文献１】
特開２００３−２５７６４号公報
【０００４】
【発明が解決しようとする課題】
この芯材を構成するボール紙と表面材を構成するポリプロピレン製シートとを水溶性接着剤にて貼り合わせると、水溶性接着剤の水分が芯材に移ることにより、該芯材が一旦膨張し、その後、水溶性接着剤が除々に乾燥することにより、芯材が縮まる。したがって、この膨張・収縮が表紙部材の反りの発生要因となる。
【０００５】
それゆえに、この発明の主たる目的は、表面材と芯材とを接着する接着剤の水分を外に抜くことができ、反ることの少ない、表紙部材を提供することである。
【０００６】
【課題を解決するための手段】
この発明の請求項１にかかる表紙部材は、合成樹脂シートからなる表面材と、該表面材によってその表面が被覆される芯材とを備え、前記表面材は、接着剤により芯材に接着され、且つ、該接着剤の水分が抜けるように、接着剤により芯材に接着される部位に貫通孔が穿設された表紙部材である。
この発明の請求項２にかかる表紙部材は、前記芯材は、表紙部および背表紙部とほぼ同じ大きさを有する弾力性を有するシートからなり、
前記表面材は、芯材の一方主面に接着される表面接着領域と前記芯材の端縁よりも外方に延びる延長部とを備える大きさを有する折曲可能なシートからなり、
前記表面材は、貫通孔が穿設された表面接着領域において、前記芯材の一方主面に重ねられ、且つ前記芯材の端縁よりも外に出た表面材の延長部は、貫通孔が穿設され、前記芯材の端縁において折り曲げられて芯材の他方主面に重ねられた、請求項１に記載の表紙部材である。
この発明の請求項３にかかる表紙部材は、前記芯材の他方主面は、裏面材によって被覆され、前記裏面材は、接着剤により芯材に接着され、且つ、該接着剤の水分が抜けるように、接着剤により芯材に接着される部位に貫通孔が穿設された、請求項１または請求項２に記載の表紙部材である。
この発明の請求項４にかかる表紙部材は、表面材および裏面材は、ポリプロピレン製シートまたはフィルムからなる、請求項１ないし請求項３のいずれかに記載の表紙部材である。
この発明の請求項５にかかる表紙部材は、芯材は、紙またはポリプロピレン製シートまたはフィルムからなる、請求項１ないし請求項４のいずれかに記載の表紙部材である。
【０００７】
〔発明の作用・効果〕
この発明によれば、表面材は、接着剤により芯材に接着されるが、該接着剤の水分が抜けるように、接着剤によって芯材に接着される部位に、貫通孔が穿設されているので、接着剤の水分が表面材の貫通孔より外部に抜け出て、接着剤を乾燥させることができ、そのために、表紙部材の反りを防止することができる。また、表面材に芯材を接着するとき、表面材と芯材との間に入り込んだ気泡が貫通孔より抜けるために、芯材の表面に表面材を密着させることができ、美麗な表紙部材を得ることができる。
更に、芯材としてポリプロピレン製シートのように接着剤の水分を吸収しない比較的薄い芯材を用いることができ、表紙部材にしなやかさを出すことができる。
そして、前記芯材は、表紙部および背表紙部とほぼ同じ大きさを有する弾力性を有するシートからなり、前記表面材は、芯材の一方主面に接着される表面接着領域と、前記芯材の端縁よりも外方に延びる延長部とを備える大きさを有する折曲可能なシートからなり、前記表面材は、貫通孔が穿設された表面接着領域において、前記芯材の一方主面に重ねられ、且つ前記芯材の端縁よりも外に出た表面材の延長部は、貫通孔が穿設され、前記芯材の端縁において折り曲げられて芯材の他方主面に重ねられた構成とすれば、表面材の延長部は、しなやかになることにより芯材を密にくるむことができる。
そして、前記芯材の他方主面は、裏面材によって被覆され、前記裏面材は、接着剤により芯材に接着され、且つ、該接着剤の水分が抜けるように、接着剤により芯材に接着される部位に貫通孔が穿設された構成とすれば、裏面材は、接着剤により芯材に接着されるが、該接着剤の水分が抜けるように、接着剤によって芯材に接着される部位に、貫通孔が穿設されているので、接着剤の水分が裏面材の貫通孔より外部に抜け出て、接着剤を乾燥させることができ、そのために、表紙部材の反りを防止することができる。また、芯材に裏面材を接着するとき、裏面材と芯材との間に入り込んだ気泡が貫通孔より抜けるために、芯材の表面に裏面材を密着させることができ、美麗な表紙部材を得ることができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態である表紙部材の内面側の斜視図解図である。図２は、図１図示表紙部材の外面側の斜視図解図である。図３は、図１の線Ａ−Ａにおける断面図である。図４乃至図１０は、図１図示表紙部材の製法を説明する斜視図解図である。
この表紙部材１０は、表表紙部１２ａと裏表紙部１２ｂとからなる表紙部１２と、表表紙部１２ａと裏表紙部１２ｂとの間において表表紙部１２ａと裏表紙部１２ｂとを連結する背表紙部１４とを備え、背表紙部１４の内側表面には公知のパイプ綴じ具１６が固定される。
【００１０】
表紙部材１０は、たとえば柔軟性を有するポリプロピレン製シートなどのような合成樹脂製シートからなる芯材２０と、前記芯材２０の表面に貼着され且つ裏面側に向けて折り曲げられ貼着されたシート、たとえばポリプロピレン製シートなどのような合成樹脂製シートからなる表面材３０とを備える、いわゆるくるみ貼り表紙である。
なお、この明細書においては、シートには、シート、フィルム、シート状物およびフィルム状物を含んでいる。
【００１１】
芯材２０は、表紙部１２および背表紙部１４と合わせた大きさを備え、その厚さは、１ｍｍないし１．５ｍｍであり、比較的薄いしなやかさを有する合成樹脂製シートからなる。
表面材３０は、前記芯材２０の上端縁２２ａおよび下端縁２２ｂよりも外方、すなわち、上下方向に芯材２０の幅よりも長い幅を有して延び、且つ、前記芯材２０の左端縁２２ｃおよび右端縁２２ｄよりも外方、すなわち、長手方向に芯材２０の長さよりも若干長い幅を有して延びる大きさを有する、折曲可能な長方形のシート、たとえばポリプロピレン製シートからなる。
【００１２】
前記表面材３０は、前記芯材２０の一方主面（表面）に積層され、たとえばエチレン酢酸ビニル共重合樹脂を主剤とする水性エマルジョン接着剤、澱粉系接着剤などのような水溶性接着剤により、接着されている。
【００１３】
表面材３０は、図１及び図３において示すように、芯材２０の上端縁２２ａおよび下端縁２２ｂよりも外に出た表面材３０の延長部３２ａおよび延長部３２ｂ（芯材２０をくるむくるみ領域）が、芯材２０の上端縁２２ａおよび下端縁２２ｂ近傍において折り曲げられて芯材２０の他方主面（裏面）に重ねられ、且つ、芯材２０の左端縁２２ｃおよび右端縁２２ｄよりも外に出た表面材３０の延長部３２ｃおよび延長部３２ｄ（芯材２０をくるむくるみ領域）が、芯材２０の左端縁２２ｃおよび右端縁２２ｄ近傍において折り曲げられて芯材２０の他方主面（裏面）に重ねられ、水溶性接着剤により接着されている。
【００１４】
そして、表面材３０は、図２及び図３において示すように、接着剤により芯材２０の表面に接着される接着領域３４及び芯材２０をくるむくるみ領域３６において、表面材３０を芯材２０に接着するための水溶性接着剤の水分を飛ばすとともに、接着時に表面材３０と芯材２０との間にできる気泡を抜くために、その表面から裏面に達する直径約０．０１ｍｍないし１ｍｍの貫通孔３８が、適宜な間隔をおいて穿設されている。貫通孔３８の直径は、より好ましくは０．１ｍｍないし１ｍｍである。貫通孔３８は、レーザー加工、またはコロナ加工あるいはプラズマ加工により穿設されており、図３及び４において示すように、表面材３０の芯材２０に接着される側には、孔の周囲に環状の凹条が形成されており、表面材３０を芯材２０に接着する接着剤の貫通孔３８からのはみ出しを防ぐように構成されている。
【００１５】
貫通孔３８は、縦一直線状及び横一直線状に並び、且つ孔の間隔は等間隔になるように形成されている。すなわち、縦の孔を直線的に結ぶ線と横の孔を直線的に結ぶ線によりマス目（方眼状）に形成されている。
また、芯材２０の表面に接着される表面接着領域３４においては、貫通孔３８ａは、比較的粗く、すなわち各孔の間隔は長く形成されおり、芯材２０をくるむくるみ領域３６（２２ａ，２２ｂ，２２ｃ，２２ｄをくるむとともに芯材２０の裏面に接着される領域）においては、貫通孔３８ｂは、比較的密に、すなわち各孔の間隔は短く形成されている。そのために、表面材３０は、柔軟性が増して、芯材２０をくるみ易く、芯材２０に密に接着できる。
【００１６】
この表紙部材１０は、表面材３０の延長部３２ａおよび延長部３２ｂならびに延長部３２ｃおよび延長部３２ｄが芯材２０の裏面側に折り曲げられた部分を覆うように、裏面（内側表面側）に裏面材４０が貼着されている。
裏面材４０は、芯材２０よりも若干小さく且つ表面材３０の延長部３２ａおよび延長部３２ｂならびに延長部３２ｃおよび延長部３２ｄが芯材２０の裏面側に折り曲げられた部分を覆うことが可能な大きさを有する、長方形のポリプロピレン製シートである。
【００１７】
この裏面材４０には、裏面材４０を芯材２０の裏面（内側面）に接着するための水溶性接着剤層の水分を飛ばすとともに、接着時に裏面材４０と芯材２０との間にできる気泡を抜くために、貫通孔４２が穿設されている。
貫通孔４２は、縦一直線状及び横一直線状に並び、且つ孔の間隔は等間隔になるように形成されている。すなわち、縦の孔を直線的に結ぶ線と横の孔を直線的に結ぶ線によりマス目（方眼状）に形成されている。
また、芯材２０の裏面に接着される裏面接着領域４４においては、貫通孔４２ａは、比較的粗く、すなわち各孔の間隔は長く形成されており、芯材２０をくるむくるみ領域（表面材３０の延長部３２ａ，３２ｂ，３２ｃ，３２ｄの芯材２０の裏面に接着されたくるみ領域）に接着するくるみ領域４６においては、貫通孔４２ｂは、比較的密に、すなわち各孔の間隔は短く形成されている。そのために、表面材４０は、柔軟性が増して、表面材３０のくるみ領域３６に接着される部分及び該くるみ領域３６と芯材２０の裏面との段差部分にも密に接着できる。
【００１８】
この表紙部材１０は、背表紙部１４の外側表面に、すなわち、パイプ綴じ具１６が取り付けられた面とは反対側表面に、背見出し紙を取り付ける長方形の透明のポリプロピレンフィルムからなる背見出し固定材７０が固定されている。背見出し固定材７０は、背表紙部１４の外側表面を覆い、表紙部１２と背表紙部１４との境界を跨いで表表紙部１２ａと裏表紙部１２ｂの表面材３０の表面に接合され、超音波により溶着されて、背ポケットを形成する（図２図示）。
【００１９】
次に、主として、表紙部材１０の製法について、図４ないし図１０に基づいて、説明する。
まず、芯材２０を準備する。
芯材２０は、表紙部１２を構成する表表紙部１２ａと裏表紙部１２ｂおよび背表紙部１４の幅および長さにほぼ一致する幅および長さを有するポリプロピレン製シート、たとえばその厚さ１ｍｍないし１．５ｍｍの方形板状体からなる（図４図示）。
芯材２０は、表紙部領域２４および背表紙部領域２６とにわかれ、表紙部領域２４は、背表紙部領域２６の左側方に連設された表表紙部領域２４ａと背表紙部１４の右側方に連設された裏表紙部領域２４ｂとを備え、背表紙部領域２６と表表紙部領域２４ａとは折り曲げ部２８ａ（図４図示Ｘ−Ｘ線）によって区画され、背表紙部領域２６と裏表紙部領域２４ｂとは折り曲げ部２８ｂ（図４図示Ｙ−Ｙ線）によって区画されている。
【００２０】
一方、表面材３０を準備する。
表面材３０は、前記芯材２０の上端縁２２ａおよび下端縁２２ｂよりも外方、すなわち、上下方向に芯材２０の幅よりも長い幅を有して延び、且つ、前記芯材２０の左端縁２２ｃおよび右端縁２２ｄよりも外方、すなわち、長手方向に芯材２０の長さよりも若干長い幅を有して延びる大きさを有する、折曲可能な長方形シート、たとえばポリプロピレン製長方形シートからなる（図４図示）。
【００２１】
そして、前記表面材３０を前記芯材２０の一方主面たる表面（外側表面）に重ね、接着剤により接着する（図５図示）。表面材３０を芯材２０に接着する接着剤としては、水溶性接着剤が用いられる。
表面材３０は、前記芯材２０の上端縁２２ａおよび下端縁２２ｂよりも外方に延びた表面材３０の延長部３２ａおよび延長部３２ｂがほぼ同一の長さをもって芯材２０の上端縁２２ａおよび下端縁２２ｂよりも外方に延びた状態および前記芯材２０の左端縁２２ｃおよび右端縁２２ｄよりも外方に延びた表面材３０の延長部３２ｃおよび延長部３２ｄがほぼ同一の長さをもって芯材２０の左端縁２２ｃおよび芯材２０の右端縁２２ｄよりも外方に延びた状態において、接着領域３４を芯材２０の表面に載置し、接着する（図５図示）。
【００２２】
そして、芯材２０の上端縁２２ａおよび下端縁２２ｂよりも外方に延びた表面材３０の延長部３２ａおよび延長部３２ｂ（くるみ領域３６）を芯材２０の上端縁２２ａおよび下端縁２２ｂ近傍において芯材２０の他方主面たる裏面（内側表面）側に折り曲げ、芯材２０の裏面（内側表面）に重ねて接着するとともに、芯材２０の左端縁２２ｃおよび芯材２０の右端縁２２ｄよりも外方に延びた表面材３０の延長部３２ｃおよび延長部３２ｄ（くるみ領域３６）を芯材２０の左端縁２２ｃおよび右端縁２２ｄ近傍において芯材２０の裏面（内側表面）側に折り曲げ、芯材２０の裏面（内側表面）に重ねて接着して芯材２０をくるみ、表紙部材１０を形成する（図６及び図７図示）。
【００２３】
次に、図８に示すような裏面材４０を準備する。裏面材４０は、芯材２０よりも若干小さく且つ表面材３０の延長部３２ａおよび延長部３２ｂならびに延長部３２ｃおよび延長部３２ｄが芯材２０の裏面側に折り曲げられた部分を覆うことが可能な大きさを有する、芯材２０と相似形の方形ポリプロピレン製シートである。
この裏面材４０には、裏面材４０を芯材２０の裏面（内側表面）に接着するための水溶性接着剤層の水分を飛ばすための貫通孔４２が穿設されている。
裏面材４０は、表面材３０の延長部３２ａ及び延長部３２ｂ並びに延長部３２ｃ及び延長部３２ｄが芯材２０の裏面側に折り曲げられたくるみ領域３６を覆うように、その裏面接着領域４４を芯材２０の裏面に接着し且つ表面材３０のくるみ領域４６の表面（内側表面側）に接着する。
【００２４】
次に、表紙部１２と背表紙部１４との境界線上、すなわち、背表紙部１４と表表紙部１２ａとの境界線上（表紙部材１０の上端縁５２ａと表紙部材１０の下端縁５２ｂと交差する仮想線Ｘ−Ｘ線上）と、背表紙部１４と裏表紙部１２ｂとの境界線上（表紙部材１０の上端縁５２ａと表紙部材１０の下端縁５２ｂと交差する仮想線Ｙ−Ｙ線上）において、芯材２０の折り曲げを容易にするために、表面（外側表面）から裏面（内側表面）に向けて表紙部材１０を凹ませるヒンジ加工を施す（図９図示）。
ヒンジ加工は、芯材２０の折り曲げ部２８ａ（芯材２０の上端縁２２ａと芯材２０の下端縁２２ｂと交差する仮想線Ｘ−Ｘ線上）及び折り曲げ部２８ｂ（芯材２０の上端縁２２ａと芯材２０の下端縁２２ｂと交差する仮想線Ｙ−Ｙ線上）において施されている。
【００２５】
一方、パイプ綴じ具１６を取付ける取付孔６０を背表紙部１４に穿設する。もっとも、前記ヒンジ加工と取付孔６０を穿設する孔開け加工とを同時に行ってもよい。
【００２６】
パイプ綴じ具１６は綴じ具ベース１６ａに突設された円柱状カシメ部１６ｂを取付孔６０に嵌挿し、カシメ部１６ｂの先端をカシメて、背表紙部１４に取り付ける（図１０図示）。
パイプ綴じ具１６は、表紙部材１０を構成する背表紙部１４の内側表面に取り付ける。
【００２７】
次に、背表紙部１４の外側、すなわち、パイプ綴じ具１６が取り付けられた面とは反対側に、背見出し紙を取り付ける長方形の透明のポリプロピレンフィルムからなる背見出し固定材７０が固定される。背見出し固定材７０は、第１の背表紙部１４の外表面を覆い、表紙部１２と背表紙部１４との境界を跨いで表表紙部１２ａと裏表紙部１２ｂの表面材３０の表面に接合され、超音波により溶着されて、背ポケットが形成される（図２及び図１０図示）。
【００２８】
この発明は、前記実施の形態に限定されるものではない。前記実施の形態においては、芯材として合成樹脂シートを挙げたが、ボール紙であってもよい。芯材がボール紙によって形成されても、表面材および裏面材に穿設された貫通孔より、表面材および裏面材を芯材に接着する接着剤の水分が外部に抜け出て、接着剤を乾燥させることができ、そのために芯材が接着剤の水部を吸収することがない。そのために、芯材の反りによって表紙部材が反ることを防ぐことができる。
【図面の簡単な説明】
【図１】この発明の一実施の形態である表紙部材の内面側の斜視図解図である。
【図２】図１図示表紙部材の外面側の斜視図解図である。
【図３】図１の線Ａ−Ａにおける断面図である。
【図４】図１図示表紙部材の製法を説明する斜視図解図である。
【図５】図１図示表紙部材の製法を説明する斜視図解図である。
【図６】図１図示表紙部材の製法を説明する斜視図解図である。
【図７】図１図示表紙部材の製法を説明する斜視図解図である。
【図８】裏面材の斜視図解図である。
【図９】図１図示表紙部材の製法を説明する斜視図解図である。
【図１０】図１図示表紙部材の製法を説明する斜視図解図である。
【符号の説明】
１０  表紙部材
１２  表紙部
１２ａ  表表紙部
１２ｂ  裏表紙部
１４  背表紙部
１６  パイプ綴じ具
１６ａ  綴じ具ベース
１６ｂ  カシメ部
２０  芯材
２２ａ  芯材の上端縁
２２ｂ  芯材の下端縁
２２ｃ  芯材の左端縁
２２ｄ  芯材の右端縁
２４  表紙部領域
２４ａ  表表紙部領域
２４ｂ  裏表紙部領域
２６  背表紙部領域
２８ａ  ２８ｂ  折り曲げ部
３０  表面材
３２ａ  ３２ｂ  ３２ｃ  ３２ｄ  表面材の延長部
３４  表面接着領域
３６  くるみ領域
３８，３８ａ，３８ｂ  貫通孔
４０  裏面材
４２，４２ａ，４２ｂ  貫通孔
４４  裏面接着領域
４６  くるみ領域
５２ａ  表紙部材の上端縁
５２ｂ  表紙部材の下端縁
６０  取付孔
７０  背見出し固定材
【図１】
2004306463.tif 000003
【図２】
2004306463.tif 000004
【図３】
2004306463.tif 000005
【図４】
2004306463.tif 000006
【図５】
2004306463.tif 000007
【図６】
2004306463.tif 000008
【図７】
2004306463.tif 000009
【図８】
2004306463.tif 000010
【図９】
2004306463.tif 000011
【図１０】
2004306463.tif 000012